(57)【要約】【課題】  同一の印刷媒体に対して画像の印刷とデータの記録を行う際に、データの記録に失敗した場合はそれを判別できるようにするための印刷を，インクリボン等の画像形成部材の無駄を抑えて行えるようにする。【解決手段】  印刷媒体に画像を印刷する印刷手段と、前記印刷媒体にデータを記録するデータ記録手段と、前記データ記録手段により前記印刷媒体へ所定の記録が行えなかった場合は、前記印刷手段に前記印刷媒体へ印刷すべき画像を不完全に印刷させる制御手段とを有する印刷装置。【選択図】  図７
2020029072.tif 000002
【特許請求の範囲】
【請求項１】
印刷媒体に画像を印刷する印刷手段と、
前記印刷媒体にデータを記録するデータ記録手段と、
前記データ記録手段により前記印刷媒体へ所定の記録が行えなかった場合は、前記印刷手段に前記印刷媒体へ印刷すべき画像を不完全に印刷させる制御手段と、
を有することを特徴とする印刷装置。
【請求項２】
前記印刷手段は、インクリボンを用いて画像を形成することを特徴とする請求項１に記載の印刷装置
【請求項３】
前記印刷手段は、中間媒体に前記印刷媒体に印刷すべき画像を形成し、前記中間媒体に形成された前記印刷媒体に印刷すべき画像を前記記録媒体に転写すると共に、前記制御手段は、前記データ記録手段により前記印刷媒体への前記所定の記録が行えなかった場合は、前記中間媒体に形成された前記印刷媒体に印刷すべき画像を前記印刷媒体に不完全に転写させることを特徴とする請求項１又は請求項２に記載の印刷装置。
【請求項４】
前記印刷手段は、前記印刷媒体と前記中間媒体を接触加熱することにより前記中間媒体に形成された前記印刷媒体に印刷すべき画像を前記印刷媒体に転写させる転写手段を有し、前記制御手段は、前記転写手段により前記印刷媒体と前記中間媒体を接離させることにより、前記中間媒体に形成された前記印刷媒体に印刷すべき画像を前記印刷媒体に不完全に転写させることを特徴とする請求項３記載の印刷装置。
【請求項５】
前記印刷手段は、前記印刷媒体と前記中間媒体を接触加熱することにより前記中間媒体に形成された前記印刷媒体に印刷すべき画像を前記印刷媒体に転写させる転写手段を有し、前記制御手段は、前記転写手段による前記接触加熱の加熱量を変化せることにより、前記中間媒体に形成された前記印刷媒体に印刷すべき画像を前記印刷媒体に不完全に転写させることを特徴とする請求項３に記載の印刷装置。
【請求項６】
前記制御手段は、前記データ記録手段により前記印刷媒体へ前記所定の記録が行えなかった場合は、前記印刷手段に前記印刷媒体へ印刷すべき画像を部分的に印刷させることで、前記不完全な印刷を行うことを特徴とする請求項１乃至請求項５のいずれか１項に記載の印刷装置。
【請求項７】
印刷媒体に画像を印刷すると共にデータを記録し、前記印刷媒体へ所定のデータの記録が行えなかった場合は、前記印刷媒体へ印刷すべき画像を不完全に印刷させることを特徴とする印刷装置の制御方法
【発明の詳細な説明】
【技術分野】
【０００１】
本発明は、ＩＤカードやパスポートなどに文字を含む画像を印刷する印刷装置及び印刷装置の制御方法に関するものである。
【背景技術】
【０００２】
従来、身分証明書、社員証、運転免許証などに代表されるＩＤカードや、パスポート、ビザなどの特定個人を証明する通帳（以後ＩＤ通帳と呼ぶ）は、保護層と一体にその保持人を特定し且つ偽造されないように、顔写真や個人属性情報が地紋や細紋などの模様と共に印刷されている。
【０００３】
このＩＤカードやＩＤ通帳などを発行する装置である印刷装置として、シアン（Ｃ）、マゼンタ（Ｍ）、イエロー（Ｙ）、ブラック（Ｂｋ）のカラーリボンからサーマルヘッドにて所望の文字・画像イメージを一旦中間媒体上に形成後、所定位置にセットしたＩＤカードやＩＤ通帳などの被転写体にヒートローラにて転写させる感熱転写方式のプリンタが、各社メーカーから製造され所定機関などで利用されている。
【０００４】
そして、そのうち文字イメージは、印字されたエッジ部まで明瞭に表現するため、転写プリンタ用に用いるカラーリボンのうち一般には墨（ブラック）のインキ領域が文字イメージ専用に使用される。
【０００５】
一方、フルカラーの画像イメージは３色のシアン（Ｃ）、マゼンタ（Ｍ）、イエロー（Ｙ）のカラーインキ領域を使って転写、表現するように３色の分色データをデータ処理装置にて分離演算し、サーマルヘッド駆動手段の制御のもと、分色データ毎に中間媒体上に重ね合わせて画像イメージを順次転写した後、中間媒体から被転写体へヒートローラにより転写形成される。
【０００６】
また、ＩＤカードやＩＤ通帳には、電子データを書き込むための接触型あるいは非接触型のＩＣやＲＦＩＤ、磁気テープを備えるものがあり、ＩＤカードやＩＤ通帳発行時に、画像の印刷と電子データの書き込みを転写プリンタで同時に行うものがある。
【０００７】
このように、電子データの書き込みと画像の印刷をＩＤカードやＩＤ通帳に対して同時に行う場合、電子データの書き込みに失敗しても、カードやＩＤ通帳の外観からは判別することができない。
【０００８】
そこで、特許文献1では、電子データの書き込みに失敗した印刷媒体に対して、特定のマークを画像として印刷することで、印刷媒体の外観から電子データの書き込みに失敗したことを判別できるようにしたものが提案されている。
【先行技術文献】
【特許文献】
【０００９】
【特許文献１】特開２００６−８８７０５号公報
【発明の概要】
【発明が解決しようとする課題】
【００１０】
しかしながら、特許文献１で提案されているものは、電子データの書き込みに失敗した場合、印刷された画像に対して更に特定のマークを上書する必要がある為、無駄にインクリボンを消費してしまうといった問題があった。
【００１１】
本発明は、以上の事情に鑑みなされたもので、同一の印刷媒体に対して画像の印刷とデータの記録を行う際に、データの記録に失敗した場合は、それを判別できるようにするための印刷を、インクリボン等の画像形成部材の無駄を抑えて行えるようにする印刷装置及び印刷装置の制御方法を提供しようとするものである。
【課題を解決するための手段】
【００１２】
上記目的を達成するために本発明は、印刷媒体に画像を印刷する印刷手段と、前記印刷媒体にデータを記録するデータ記録手段と、前記データ記録手段により前記印刷媒体へ所定の記録が行えなかった場合は、前記印刷手段に前記印刷媒体へ印刷すべき画像を不完全に印刷させる制御手段とを有する印刷装置とするものである。
【００１３】
また、本発明は、印刷媒体に画像を印刷すると共にデータを記録し、前記印刷媒体へ所定のデータの記録が行えなかった場合は、前記印刷媒体へ印刷すべき画像を不完全に印刷させることを特徴とする印刷装置の制御方法とするものである。
【発明の効果】
【００１４】
本発明によれば、同一の印刷媒体に対して画像の印刷とデータの記録を行う際に、データの記録に失敗した場合は、それを判別できるようにするための印刷を、インクリボン等の画像形成部材の無駄を抑えて行えるようにする印刷装置及び印刷装置の制御方法を提供できるものである。
【図面の簡単な説明】
【００１５】
【図１】本発明の実施形態に係る印刷システムの外観図である。
【図２】本発明の実施形態に係る印刷装置の概略断面図である。
【図３】本発明の実施形態に係る画像形成部の画像形成待機状態を説明する動作説明図である。
【図４】本発明の実施形態に係る画像形成部の画像形成状態を説明する動作説明図である。
【図５】本発明の実施形態に係る画像形成部の転写フィルム搬送状態を説明する動作説明図である。
【図６】本発明の実施形態に係る印刷装置の制御系のブロック図である。
【図７】本発明の実施形態に係る図６に示されるマイコン１０２のフローチャートである。
【図８】本発明の実施形態に係る中間転写画像を全て転写する場合の説明図である。
【図９】本発明の実施形態に係る中間転写画像を部分的に転写する場合の説明図である。
【発明を実施するための形態】
【００１６】
以下、図面を参照して本発明の好適な実施形態を詳細に説明する。尚、以下の実施形態に記載されている構成要素はあくまで例示であり、特許請求の範囲に係る本発明はそれら構成要素のみに限定されるものではない。
【００１７】
以下の実施形態では、カード（印刷媒体）に文字や画像を印刷すると共に磁気的ないし電気的な情報記録を行う印刷装置に本発明を適用した例について説明する。
【００１８】
図１は、本発明の実施形態に係る印刷システムの外観図である。
【００１９】
図１において、印刷システム２００は、大別して、上位装置（パーソナルコンピュータ等のホストコンピュータ）２０１と、印刷装置１とで構成されている。印刷装置１は、図示を省略したインターフェースを介して、上位装置２０１に接続されており、上位装置２０１から印刷装置１に印刷データや磁気的ないし電気的記録データ等を送信して、記録動作等を指示可能である。なお、印刷装置１は、後述の図６に示されるオペレーションパネル部（操作表示部）５を有しており、上位装置２０１からの記録動作指示の他、オペレーションパネル部５からの記録動作指示も可能である。
【００２０】
上位装置２０１にはさらに、デジタルカメラやスキャナ等の画像入力装置２０４、上位装置２０１に命令やデータを入力するためのキーボードやマウス等の入力装置２０３、上位装置２０１によって生成されたデータ等の表示を行なう液晶ディスプレイ等のモニタ２０２が接続されている。
【００２１】
図２は、図１に示される印刷装置１の概略断面図である。
【００２２】
図２において、印刷装置１はハウジング２を有しており、ハウジング２には情報記録部Ａと、画像形成部Ｂと、印刷媒体供給部Ｃと、印刷媒体排出部Ｄとが備えられている。
【００２３】
情報記録部Ａは、磁気記録部２４と、非接触式ＩＣ記録部２５と、接触式ＩＣ記録部２７とで構成される。
【００２４】
印刷媒体供給部Ｃは、複数枚のカードを立位姿勢で整列して収納しており、その先端には分離開口７が設けられて、ピックアップローラ１９にて最前列のカードから繰り出し供給されるようになっている。
【００２５】
繰り出されたカードは先ず、搬入ローラ対１７にて反転ユニットＦに送られる。反転ユニットＦは、ハウジング２に旋回動可能に軸受け支持された回転フレーム８０と、このフレーム８０に支持された２つのローラ対２０、２１にて構成される。そして、ローラ対２０、２１は、回転フレーム８０に回転自在に軸支持されている。
【００２６】
反転ユニットＦが旋回する外周には、磁気記録部２４と、非接触式ＩＣ記録部２５および接触式ＩＣ記録部２７が配置されている。そして、ローラ対２０、２１は、これら磁気記録部２４、非接触式ＩＣ記録部２５、接触式ＩＣ記録部２７の何れかに向けてカードを搬入する印刷媒体搬入経路６５を形成し、磁気記録部２４、非接触式ＩＣ記録部２５または接触式ＩＣ記録部２７によりカードに磁気的若しくは電気的にデータが書き込まれる。
【００２７】
画像形成部Ｂは、カードの表裏面に顔写真、文字データなどの画像を形成するもので、印刷媒体搬入経路６５の延長上にカードを移送する印刷媒体搬送経路Ｐ１が設けられている。また、印刷媒体搬送経路Ｐ１にはカードを搬送する印刷媒体搬送ローラ対２９、３０が配置され、図示しない印刷媒体搬送モータに連結されている。Ｅ４は、搬送されてきたカードの先端を検出するための透過型センサである。
【００２８】
画像形成部Ｂは、転写媒体搬送部を備え、この転写媒体搬送部にて搬送される転写フィルム４６に対して、先ずサーマルヘッド４０にて画像を形成する一次転写部と、続いてヒートローラ３５にて印刷媒体搬送経路Ｐ１にあるカードの表面に転写フィルム４６に形成された画像を熱転写する二次転写部とを備え、これらによりカードへの画像の印刷を行う。
【００２９】
画像形成部Ｂのカード搬送方向下流側には印刷後のカードを収容スタッカ６０へ移送する印刷媒体搬送経路Ｐ２が設けられている。印刷媒体搬送経路Ｐ２にはカードを搬送する印刷媒体搬送ローラ３７、３８が配置され、図示しない印刷媒体搬送モータに連結されている。
【００３０】
印刷媒体搬送ローラ３７と印刷媒体搬送ローラ３８の間には、デカール機構３６が配置され、印刷媒体搬送ローラ３７、３８間に保持されたカード中央部を押圧することにより、ヒートローラ３５による熱転写で生じるカードのカールを矯正する。このカールの矯正ためにデカール機構３６は、カムによる昇降機構にて図２に示す上下方向に位置移動可能に構成されている。
【００３１】
印刷媒体排出部Ｄは、画像形成部Ｂから送られたカードを収容スタッカ６０に収容するように構成されている。収容スタッカ６０は、昇降機構６１にて図２の下方に移動するように構成されている。
【００３２】
次に、上述した画像形成部Ｂについて、更に詳しく説明する。転写フィルム４６は、モータＭ２、Ｍ４の駆動にて回転する転写フィルムカセットの巻取ロール４７と繰出ロール４８にそれぞれ巻回されている。転写フィルム搬送ローラ４９は、転写フィルム４６を移送する主体となる駆動ローラであり、この転写フィルム搬送ローラ４９の駆動を制御することで転写フィルム４６の搬送量および搬送停止位置が決まる。このフィルム搬送ローラ４９は不図示のステッピングモータに連結されている。転写フィルム搬送ローラ４９の駆動時にモータＭ２も駆動されるが、巻取ロール４７が繰り出された転写フィルム４６を巻き取るためのものであって、転写フィルム４６の搬送量および搬送停止位置を制御するために駆動されるものではない。なお、繰出ロール４８はモータＭ４に連結されており、転写フィルム４６が巻取ロール４７に巻き取られる方向に搬送する際は、モータＭ４の回転速度を制御して転写フィルム４６に適度なバックテンションを付与する。
【００３３】
転写フィルム搬送ローラ４９の周面には、ピンチローラ３２ａとピンチローラ３２ｂとが配置されている。ピンチローラ３２ａ、３２ｂは、転写フィルム搬送ローラ４９に対して進出および退避するよう移動可能に構成されており、図２の状態は、転写フィルム搬送ローラ４９に進出して圧接することで転写フィルム４６を転写フィルム搬送ローラ４９に巻き付けている。これにより、転写フィルム４６は転写フィルム搬送ローラ４９の回転量に応じた距離に対応する正確な搬送が行われる。
【００３４】
Ｅ１、Ｅ３は、転写フィルム４６に設けられた位置出し用マークを検出するための透過型センサである。
【００３５】
インクリボン４１は、インクリボンカセット４２に収納され、シアン（Ｃ）、マゼンタ（Ｍ）、イエロー（Ｙ）、ブラック（Ｂｋ）のカラーリボンパネルを面順次に繰り返すように構成されている。カセット４２には、インクリボン４１を供給する供給スプール４３とインクリボン４１を巻き取る巻取スプール４４が収容され、巻取スプール４４はモータＭ１にて駆動され、供給スプール４３はモータＭ３にて駆動される。モータＭ１およびモータＭ３には正逆転可能なＤＣモータが用いられている。
【００３６】
Ｅ２は、インクリボン４１の終端部に付されインクリボン４１の使用限界を表すエンプティマークを検出するための透過型センサである。また、センサＥ２は、ブラック（Ｂｋ）パネルの通過も検出しており、このブラック（Ｂｋ）パネルの検出によってインクリボン４１内の各カラーパネルの位置管理を行い、インクリボン４１内の各カラーパネルの頭出し等に利用する。具体的には、センサＥ２が検出するブラック（Ｂｋ）パネルのＯｆｆエッジ（Ｂｋ後端）からの供給スプール４３の回転量を判定することによってブラック（Ｂｋ）パネルから次のブラック（Ｂｋ）パネルまでのシアン（Ｃ）パネル、マゼンタ（Ｍパネル）、イエロー（Ｙ）パネルの位置管理を行う。つまり、シアン（Ｃ）パネル、マゼンタ（Ｍ）パネル、イエロー（Ｙ）パネルのそれぞれに境界を示すマークが無い場合、ブラック（Ｂｋ）パネルのＯｆｆエッジ（Ｂｋ後端）をイエロー（Ｙ）パネルの開始位置（Ｙの先端）と判断し、ここからの相対位置管理でイエロー（Ｙ）パネルとマゼンタ（Ｍ）パネルとの境界（Ｍの先端）、マゼンタ（Ｍ）パネルとシアン（Ｃ）パネルとの境界（Ｃの先端）を判定する。なお、インクリボン４１の各色パネルの先頭に検出用マークを設けるようにしてもよい。
【００３７】
プラテンローラ４５とサーマルヘッド４０とは一次転写部を構成しており、プラテンローラ４５に対向する位置にサーマルヘッド４０が配置されている。サーマルヘッド４０は、後述の図６に示されるサーマルヘッド制御部１０５により上位装置２０１から送信される画像データに従って加熱制御され、昇華型のインクリボン４１を用いて転写フィルム４６に画像を形成する。なお、冷却ファン３９はサーマルヘッド４０を冷却する為のものである。
【００３８】
転写フィルム４６への印刷が終了したインクリボン４１は、剥離コロ８１と剥離部材８２とで転写フィルム４６から引き剥がされる。剥離部材８２はカセット４２に固設されており、剥離コロ８１は印刷時に剥離部材８２に当接して両者で転写フィルム４６とインクリボン４１とを挟持することで剥離が行われる。そして、剥離されたインクリボン４１はモータＭ１の駆動により巻取スプール４４に巻き取られ、転写フィルム４６は転写フィルム搬送ローラ４９により、プラテンローラ３１とヒートローラ３５とを含む二次転写部まで搬送される。
【００３９】
二次転写部では、転写フィルム４６がカードと共にヒートローラ３５とプラテンローラ３１により挟持されて、転写フィルム４６上の画像がカード表面に転写される。なお、ヒートローラ３５は、転写フィルム４６を介してプラテンローラ３１に圧接・離間するように不図示の昇降機構に取り付けられている。
【００４０】
図３は、図２に示される画像形成部Ｂの画像形成待機状態を説明する動作説明図、図４は、図２に示される画像形成部Ｂの画像形成状態を説明する動作説明図、図５は、図２に示される画像形成部Ｂの転写フィルム搬送状態を説明する動作説明図である。
【００４１】
図３、図４、図５において、プラテンローラ４５、剥離コロ８１、転写フィルム４６の張力を受ける張力受け部材５２ａは、図３に示される転写フィルム４６から離間した画像形成待機ポジションと、図４に示される転写フィルム４６及びインクリボン４１を介してサーマルヘッド４０と剥離部材８２に圧接した画像形成ポジションと、図５に示されるプラテンローラ４５とサーマルヘッド４０とが画像形成待機ポジションと画像形成ポジションとの間の位置に離間した転写フィルム搬送ポジションに移動可能である。
【００４２】
また、ピンチローラ３２ａ、３２ｂ及び張力受け部材５２ｂは転写フィルム搬送ローラ４９に対して接離可能に構成されている。
【００４３】
なお、プラテンローラ４５、剥離コロ８１、張力受け部材５２ａ、５２ｂ及びピンチローラ３２ａ、３２ｂは不図示のカムで駆動され、図３に示される画像形成待機状態には、ピンチローラ３２ａ、３２ｂは転写フィルム搬送ローラ４９に圧接しておらず、またプラテンローラ４５はサーマルヘッド４０に圧接していない。
【００４４】
印刷命令を受取ると画像形成部Ｂは、図４に示される画像形成状態に移行する。その際、まずピンチローラ３２ａ、３２ｂが転写フィルム搬送ローラ４９に転写フィルム４６を巻き付けると共に、張力受け部材５２ａ、５２ｂは転写フィルム４６と当接する。その後プラテンローラ４５がサーマルヘッド４０に圧接する。この画像形成状態では、プラテンローラ４５がサーマルヘッド４０に向けて移動して転写フィルム４６とインクリボン４１を挟み圧接して、剥離ローラ８１が剥離部材８２と接している。
【００４５】
図４の画像形成状態で、転写フィルム搬送ローラ４９の回転により転写フィルム４６の搬送が開始されると、同時にインクリボン４１もモータＭ１の駆動により巻取スプール４４にて巻き取られて同じ方向に搬送される。この搬送の間に転写フィルム４６に設けられた位置出し用マークがセンサＥ１を通過して所定量移動し、転写フィルム４６が画像形成開始位置に到達した時点で、転写フィルム４６の所定領域にサーマルヘッド４０による画像形成が行われる。
【００４６】
なお、転写フィルム４６の位置と搬送量は、センサＥ１と転写フィルム搬送ローラ４９に設けられた不図示のエンコーダにより管理されている。また、インクリボン４１の位置と搬送量は、センサＥ２と供給スプール４３に設けられた不図示のエンコーダにより管理されている。これにより、画像形成開始前の状態において、転写フィルム４６とインクリボン４１とを所定の位置で停止させておくことで、転写フィルム４６の画像形成領域が画像形成開始位置に到達するタイミングで、インクリボン４１のカラーパネルも画像形成開始位置に到達できるようになる。
【００４７】
この画像形成中は、転写フィルム４６の張力が大きくなるため、転写フィルム４６の張力はフィルム搬送ローラ４９からピンチローラ３２ａ、３２ｂを離間させる方向および、剥離部材８２とサーマルヘッド４０から剥離コロ８１とプラテンローラ４５とを離間させる方向に働く。しかし、上記したように、転写フィルム４６の張力は張力受け部材５２ａ、５２ｂが受けているため、ピンチローラ３２ａ、３２ｂの圧接力が弱くなることがなく、正確なフィルム搬送を行うことができ、サーマルヘッド４０とプラテンローラ４５との圧接力および、剥離部材８２と剥離コロ８１との圧接力も弱くなることがないため、正確な印刷および剥離を行うことができる。印刷終了後のインクリボン４１は、転写フィルム４６から引き剥がされて巻取スプール４４に巻き取られる。
【００４８】
転写フィルム４６の搬送による移動量に応じて転写フィルム搬送ローラ４９の回転が停止し、同時にモータＭ２の駆動による巻取スプール４４による巻き取りも停止する。これにより、サーマルヘッド４０による転写フィルム４６の前記印刷領域への１色目の画像形成が終了する。
【００４９】
その後、画像形成部Ｂは図５に示される転写フィルム搬送状態に移行して、プラテンローラ４５はサーマルヘッド４０から退避する方向に移動する。一方、ピンチローラ３２ａ、３２ｂは転写フィルム搬送ローラ４９に転写フィルム４６を巻き付けて、張力受け部材５２ｂは転写フィルム４６と接したままとなっており、転写フィルム搬送ローラ４９の逆方向の回転により転写フィルム４６は上記所定の位置にまで逆搬送される。このときも転写フィルム４６の移動量は不図示のエンコーダによって検出される転写フィルム搬送ローラ４９の回転によって制御され、画像形成が施された前記画像形成領域の搬送方向の長さ分が逆搬送される。一方、インクリボン４１もモータＭ３により巻き戻され、次に画像形成するカラーパネルを上記所定の位置に待機させる。
【００５０】
そして、再び図４に示される画像形成状態となり、プラテンローラ４５をサーマルヘッド４０に圧接させ、転写フィルム搬送ローラ４９が再び正方向への回転を行って転写フィルム４６を前記画像形成領域の長さ分移動させると、サーマルヘッド４０にて次色による画像形成が行われる。
【００５１】
こうして、画像形成状態と転写フィルム搬送状態の動作はインクリボン４１の全てのカラーパネルの画像形成が終了するまで繰り返される。そして、サーマルヘッド４０による転写フィルム４６への画像形成（一次転写）が終了すると、転写フィルム４６の一次転写された領域をヒートローラ３５まで搬送する。このときピンチローラ３２ａ、３２ｂの転写フィルム４６への圧接を解除し、巻き取りロール４７を回転させて、転写フィルム４６を搬送する。その後の二次転写は巻取ロール４７の駆動で転写フィルム４６を搬送しながらカード７１への転写が行われる。二次転写の際は、転写フィルム４６とカード７１とをヒートローラ３５とプラテンローラ３１とで圧接して加熱することにより転写フィルム４６に形成された画像をカード７１に転写する。
【００５２】
なお、転写フィルム４６の一次転写された領域とカード７１との位置合わせは、センサＥ３とセンサＥ４を用いて行う。即ち、カード７１の先端がセンサＥ４の位置に到達するまでカード７１の搬送を行い、カード７１を停止しておく。その後、転写フィルム４６の位置出し用マークをセンサＥ３で検出してから所定時間後に、カード７１の搬送を再開することで、転写フィルム４６の一次転写された領域とカード７１との位置を合わせて、二次転写を行うことができる。
【００５３】
図６は、図２に示される印刷装置１の制御系のブロック図である。図６中、図２で説明した構成については、同一の符号を付している。
【００５４】
図６において、印刷装置１は、印刷装置１の動作制御を行う制御部１００と、商用交流電源から各機構部および制御部等を駆動／作動可能な直流電源に変換する電源部１２０とを有している。
【００５５】
制御部１００は、印刷装置１の全体の制御処理を行うマイクロコンピュータ１０１（以下、マイコン１０１と略称する。）を備えている。マイコン１０１は、中央演算処理装置として高速クロックで作動するＣＰＵ、印刷装置１の基本制御動作（プログラムおよびプログラムデータ）が記憶されたＲＯＭ、ＣＰＵのワークエリアとして働くＲＡＭ、およびこれらを接続する内部バスで構成されている。
【００５６】
マイコン１０１には外部バスが接続され、その外部バスには、上位装置２０１との通信を行うための図示を省略したインターフェース、カードに印刷すべき印刷データやカードの磁気ストライプ部や内蔵ＩＣに磁気的ないし電気的に記録すべき記録データ等を一時的に格納するバッファメモリ１０２が接続されている。
【００５７】
また、マイコン１０１に接続された外部バスにはさらに、各種センサを駆動制御し、信号を受信するセンサ制御部１０３、各モータに駆動パルスや駆動電力を送出するアクチュエータ制御部１０４、サーマルヘッド４０を構成する発熱素子への熱エネルギを制御するためのサーマルヘッド制御部１０５、ヒートローラ３５の加熱制御を行うヒートローラ制御部１０６、オペレーションパネル部５を制御するための操作表示制御部１０７、および、図２で示した情報記録部Ａが接続されている。
【００５８】
電源部１２０は、制御部１００、サーマルヘッド４０、ヒートローラ３５、オペレーションパネル部５および情報記録部Ａに駆動電源を供給している。
【００５９】
次に、以上の構成において、情報記録部Ａのエラーによりカードにデータを正しく書き込めなかった場合の動作を図７に示すマイコン１０１のフローチャートに従って説明する。
【００６０】
先ず、ステップＳ０１で、上位装置２０１から印刷指示があると、ステップＳ０２で、上位装置２０１から印刷データ受信し、ステップ０３で、情報記録部Ａにより記録すべき情報記録データがあるか否かを判定し、情報記録部Ａにより記録すべき情報記録データがある場合は、ステップＳ０４でその情報記録データを受信する。
【００６１】
次に、ステップＳ０５で、印刷媒体供給部Ｃからカードを一枚ずつ反転ユニットＦに供給する。
【００６２】
同時に、ステップＳ０６で、画像形成部Ｂにおいて、転写フィルム４６に対しサーマルヘッド４０により画像形成を行う一次転写処理を開始する。
【００６３】
また、情報記録部Ａにより記録すべき情報記録データがある場合は、ステップ０７から、ステップ０８へ移行し、カードを反転ユニットＦから情報記録部Ａに搬送して情報記録部Ａによりカードに対し情報記録処理を行い、ステップＳ０９で情報記録処理が終了したと判定されると、ステップＳ１０で、一次転写処理で転写フィルム４６に形成された画像をヒートローラ３５によりカードに二次転写するために、図５に示されるようにカード７１を二次転写開始頭出し位置に搬送する。
【００６４】
一方、ステップＳ１１で、一次転写処理が終了したか否かを判定し、一次転写処理が終了したと判定されると、ステップＳ１２で、情報記録部Ａでエラーが発生していないかを判定する。
【００６５】
ステップＳ１２で、情報記録部Ａでエラーが発生していないと判定された場合は、ステップＳ１３に進み、一次転写処理で転写フィルム４６に形成された画像をカード７１に二次転写するためのヒートローラ３５とプラテンローラ３１による転写フィルム４６とカード７１の挟持搬送を開始し、図８に示されるように転写フィルム４６上の画像Ｌを全てカード７１表面に画像Ｎとして熱転写してステップＳ１４でカード７１が二次転写終了位置に到達したと判定されると、ステップＳ２１でカード７１を収容スタッカ６０へ排出する。
【００６６】
一方、情報記録部Ａでエラーが発生していると判定された場合は、、ステップＳ１５で、一次転写処理で転写フィルム４６に形成された画像をカード７１に二次転写するためのヒートローラ３５とプラテンローラ３１による転写フィルム４６とカード７１の挟持搬送を開始し、ステップ１６で、カード７１を二次転写途中位置まで所定量挟持搬送したと判定すると、ステップ１７で、転写フィルム４６とカード７１の搬送を継続したままカード７１からヒートローラ３５を離間し、転写フィルム４６からカード７１への二次転写が行われないようにする。そして、ステップＳ１８で、ヒートローラ３５を離間したままカード７１が所定量搬送されたと判定すると、ステップＳ１９で、再度ヒートローラをカードに圧接し、転写フィルム４６からカードへの二次転写を再開する。
【００６７】
これをステップＳ２０でカードが二次転写終了位置に到達したと判定されるまで繰り返し、ステップＳ２０でカードが二次転写終了位置に到達したと判定されると、ステップＳ２１でカード７１を収容スタッカ６０へ排出する。
【００６８】
これにより、情報記録部Ａでエラーが発生した場合、図９に示されるようにカード７１に転写されるべき画像Ｌが転写フィルム４６とカード７１に画像Ｎ１、Ｎ２として分断され、、情報記録部Ａでエラーが発生していることをカード７１に転写された画像から判別できるようになる。
【００６９】
以上のように、本実施形態によれば、情報記録部Ａにエラーが生じた場合は、インクリボン４１に既に形成されている印刷すべき画像を使って情報記録部Ａにエラーが生じたことを判別できるようにしているので、インクリボン４１を無駄にすることなくカードの外観からユーザーに対して情報記録部Ａにエラーが生じたこと通知することができる。
【００７０】
なお、以上の実施形態においては、情報記録部Ａは、磁気的若しくは電気的にデータが書き込まれるものであるが、本発明はこれらに限らず、光学的等どのような方法によりデータが書き込まれるものであっても適用できるものである。
【００７１】
また、以上の実施形態においては、転写フィルム４６とカードとをプラテンローラ３１との間で挟持搬送し熱圧着するヒートローラ３５の接離を繰り返すことで、情報記録部Ａにエラーが生じたことをカードの外観から判別できるようにしているが、これは、ヒートローラ３５の接離させるのではなく、ヒートローラ３５の加熱量を変化させるようにしても良い。
【００７２】
また、本発明は、以上の実施形態のような熱転写方式の印刷装置に限らず、どのような印刷装置であっても適用できるものである。
【００７３】
また、本発明は、以上の実施形態のように画像を部分的に印刷して情報記録部にエラーが生じたことを判別できるようにすることに限らず、画像を印刷しないことを含む不完全に印刷してカードの外観から情報記録部にエラーが生じたことを判別できるようにするものであればどのようなものであっても適用できるものである。
【符号の説明】
【００７４】
１…印刷装置
２…ハウジング
２４…磁気記録部
２５…非接触式ＩＣ記録部
２７…接触式ＩＣ記録部
３１…プラテンローラ
３５…ヒートローラ
４０…サーマルヘッド
４１…インクリボン
４２…インクリボンカセット
４５…プラテンローラ
４６…転写フィルム
４９…転写フィルム搬送ローラ
６０…収容スタッカ
６１…昇降機構
７１…カード
８０…回転フレーム
８１…剥離コロ
８２…剥離部材
１００…制御部
１０１…マイクロコンピュータ
１０３…センサ制御部
１０４…アクチュエータ制御部
１０５…サーマルヘッド制御部
１０６…ヒートローラ制御部
１０７…操作表示制御部
２０１…上位装置
Ａ…情報記録部
Ｂ…画像形成部
Ｃ…印刷媒体供給部
Ｄ…印刷媒体排出部
Ｅ１…センサ
Ｅ２…透過型センサ
【図１】
2020029072.tif 000003
【図２】
2020029072.tif 000004
【図３】
2020029072.tif 000005
【図４】
2020029072.tif 000006
【図５】
2020029072.tif 000007
【図６】
2020029072.tif 000008
【図７】
2020029072.tif 000009
【図８】
2020029072.tif 000010
【図９】
2020029072.tif 000011